(57)【特許請求の範囲】
【請求項１】
圧電振動子と、
該圧電振動子の振動により液体を霧化する微細孔領域を有する多孔板と、
前記微細孔領域の霧化性能に応じて、前記多孔板毎に設定されるランクを識別可能にするランク識別手段と、
を有する振動多孔板ユニット。
【請求項２】
前記ランク識別手段は、前記圧電振動子に印加する電圧の設定のために前記ランクを識別可能にする請求項１に記載の振動多孔板ユニット。
【請求項３】
前記ランク識別手段は、ランク表示である請求項１又は請求項２に記載の振動多孔板ユニット。
【請求項４】
前記ランク識別手段は、各々の前記ランクに対応する端子を夫々所定位置に取付け可能に構成された第１共通コネクタであり、
前記圧電振動子は、その前記ランクに対応する前記端子に接続されている請求項１又は請求項２に記載の振動多孔板ユニット。
【請求項５】
前記圧電振動子に電圧を印加するための電気回路を更に有し、
該電気回路は、前記ランク識別手段に基づいて、前記圧電振動子に印加する電圧を設定する電圧設定手段を有している請求項１又は請求項２に記載の振動多孔板ユニット。
【請求項６】
前記ランク識別手段は、ランク表示である請求項５に記載の振動多孔板ユニット。
【請求項７】
前記ランク識別手段は、各々の前記ランクに対応する端子を夫々所定位置に取付け可能に構成された第１共通コネクタであり、
前記圧電振動子は、その前記ランクに対応する前記端子に接続されている請求項５に記載の振動多孔板ユニット。
【請求項８】
前記電圧設定手段は、前記ランク表示に応じて前記圧電振動子に印加する電圧を切り替えるためのスイッチである請求項６に記載の振動多孔板ユニット。
【請求項９】
前記電圧設定手段は、前記第１共通コネクタを接続可能に構成され各々の前記ランクに対応するすべての端子を備えた第２共通コネクタであり、該端子毎に前記ランクに応じた印加電圧が予め設定されている請求項７に記載の振動多孔板ユニット。
【請求項１０】
請求項１〜請求項９の何れか１項に記載の振動多孔板ユニットを有する霧化装置。
【発明の詳細な説明】
【技術分野】
【０００１】
本発明は、振動多孔板ユニット及び振動多孔板ユニットを有する霧化装置に関する。
【背景技術】
【０００２】
吸入器（霧化装置）において、多数の微細孔が形成された微細孔エリアを有するメッシュ部材（多孔板）と、該微細孔エリアが対面する端面上の薬液を振動させるホーン型振動子と、を備えた構造が開示されている（特許文献１参照）。
【先行技術文献】
【特許文献】
【０００３】
【特許文献１】特開２００４−２４９２０８号公報
【発明の概要】
【発明が解決しようとする課題】
【０００４】
上記した従来例に係るメッシュ部材（多孔板）は、微細な貫通孔が多数形成された領域（微細孔領域）を有する母材板から切り出される。霧化用途の場合、各々の貫通孔の大きさは、例えば直径２〜８０μｍ程度である。母材板は例えば電鋳により作製されるものであるが、貫通孔の大きさにはばらつきが生じる。このばらつきは、ロット間だけでなく母材板単位でも生じ、母材板における微細孔領域の形成位置（多孔板の切出し位置）によって貫通孔の大きさが異なったものとなる場合がある。
【０００５】
ここで、貫通孔の基準寸法を直径１０μｍとし、この基準寸法に対して±２μｍのばらつきが存在する場合を例に挙げると、直径の最小値は８μｍであり、最大値は１２μｍである。この貫通孔を、液体が球形の状態で通過するものと考える。直径１２μｍ（半径６μｍ）の貫通孔を通過する球の体積と、直径８μｍ（半径４μｍ）の貫通孔を通過する球の体積とを比較すると、６ 3／４ 3＝３．３７５となる。
【０００６】
従って、霧化装置において、圧電振動子に一定電圧を印加して多孔板を加振し、タンク内に貯留された液体の噴霧を行う場合、微細孔領域における各貫通孔の直径が最大値の場合には、最小値の場合と比較して、１／３．３７５の時間で、タンク内の液体が消費されてしまうこととなる。このため、霧化量を一定にするためには、微細孔領域の霧化性能に応じて多孔板を選別するか、又は霧化装置の製造時に、各々の微細孔領域の霧化性能に応じた、圧電振動子に対する印加電圧の調節が必要となる。
【０００７】
しかしながら、多孔板を選別していたのでは歩留まりが悪化し、多孔板のコストが上昇する。また微細孔領域の目詰まり等により多孔板の交換が必要となった際に、一般のユーザーが、交換後の多孔板における微細孔領域の霧化性能に応じて、圧電振動子に対する印加電圧の調節を行うことは容易ではない。
【０００８】
本発明は、上記事実を考慮して、圧電振動子に印加する電圧の設定を、各々の多孔板における微細孔領域の霧化性能に応じて容易に行うことができるようにして、多孔板の歩留まりを向上させることを目的とする。
【課題を解決するための手段】
【０００９】
請求項１の発明（振動多孔板ユニット）は、圧電振動子と、該圧電振動子の振動により液体を霧化する微細孔領域を有する多孔板と、前記微細孔領域の霧化性能に応じて、前記多孔板毎に設定されるランクを識別可能にするランク識別手段と、を有している。
【００１０】
この振動多孔板ユニットでは、微細孔領域の霧化性能に応じて、多孔板毎に設定されるランクを識別可能にするランク識別手段が設けられているので、圧電振動子の電気回路への接続時に、微細孔領域の霧化性能のランクを識別することができる。このため、圧電振動子に印加する電圧の設定を、各々の多孔板における微細孔領域の霧化性能に応じて容易に行うことができる。またこれによって、多孔板を切り出す母材板を無駄なく使用できるようにして、多孔板の歩留まりを向上させることができる。
請求項２の発明は、請求項１に記載の振動多孔板ユニットにおいて、前記ランク識別手段が、前記圧電振動子に印加する電圧の設定のために前記ランクを識別可能にする。
【００１１】
請求項３の発明は、請求項１又は請求項２に記載の振動多孔板ユニットにおいて、前記ランク識別手段が、ランク表示であることを特徴としている。
【００１２】
この振動多孔板ユニットでは、ランク表示を目視することにより、圧電振動子に印加する電圧の設定を容易に行うことができる。
【００１３】
請求項４の発明は、請求項１又は請求項２に記載の振動多孔板ユニットにおいて、前記ランク識別手段が、各々の前記ランクに対応する端子を夫々所定位置に取付け可能に構成された第１共通コネクタであり、前記圧電振動子は、その前記ランクに対応する前記端子に接続されている。
【００１４】
この振動多孔板ユニットでは、ランク識別手段として第１共通コネクタを用いており、圧電振動子が、該第１共通コネクタにおける、該圧電振動子のランクに対応する端子に接続されているので、使用者が該ランクの存在を特に意識する必要がない。このため、圧電振動子の電気回路への接続作業が容易である。
【００１５】
請求項５の発明は、請求項１又は請求項２に記載の振動多孔板ユニットにおいて、前記圧電振動子に電圧を印加するための電気回路を更に有し、該電気回路は、前記ランク識別手段に基づいて、前記圧電振動子に印加する電圧を設定する電圧設定手段を有している。
【００１６】
この振動多孔板ユニットでは、ランク識別手段に基づいて電圧設定手段により設定される電圧を、圧電振動子に印加することができる。
【００１７】
請求項６の発明は、請求項５に記載の振動多孔板ユニットにおいて、前記ランク識別手段が、ランク表示であることを特徴としている。
【００１８】
この振動多孔板ユニットでは、ランク表示を目視することにより、圧電振動子に印加する電圧の設定を容易に行うことができる。
【００１９】
請求項７の発明は、請求項５に記載の振動多孔板ユニットにおいて、前記ランク識別手段が、各々の前記ランクに対応する端子を夫々所定位置に取付け可能に構成された第１共通コネクタであり、前記圧電振動子は、その前記ランクに対応する前記端子に接続されている。
【００２０】
この振動多孔板ユニットでは、ランク識別手段として第１共通コネクタを用いており、圧電振動子が、該第１共通コネクタにおける、該圧電振動子のランクに対応する端子に接続されているので、使用者が該ランクの存在を特に意識する必要がない。このため、圧電振動子の電気回路への接続作業が容易である。
【００２１】
請求項８の発明は、請求項６に記載の振動多孔板ユニットにおいて、前記電圧設定手段が、前記ランク表示に応じて前記圧電振動子に印加する電圧を切り替えるためのスイッチを有している。
【００２２】
この振動多孔板ユニットでは、圧電振動子の電気回路への接続時に、スイッチによって、圧電振動子に印加する電圧を容易に切り替えることができる。
【００２３】
請求項９の発明は、請求項７に記載の振動多孔板ユニットにおいて、前記電圧設定手段が、前記第１共通コネクタを接続可能に構成され各々の前記ランクに対応するすべての端子を備えた第２共通コネクタを有しており、該端子毎に前記ランクに応じた印加電圧が予め設定されている。
【００２４】
この振動多孔板ユニットでは、第１共通コネクタを第２共通コネクタに接続するだけで、多孔板のランクに応じた電圧設定が行われる。このため、多孔板のランクに応じた電圧設定を意識することなく、圧電振動子の電気回路への接続作業を行うことができる。
【００２５】
請求項１０の発明（霧化装置）は、請求項１〜請求項９の何れか１項に記載の振動多孔板ユニットを有している。
【００２６】
この霧化装置では、多孔板のランクにかかわらず霧化量を一定にして、霧化性能のばらつきを抑制することができる。
【発明の効果】
【００２７】
以上説明したように、本発明に係る請求項１に記載の振動多孔板ユニットによれば、各々の多孔板における微細孔領域の霧化性能に応じて容易に行うことができるようにして、多孔板の歩留まりを向上させることができる、という優れた効果が得られる。
【００２８】
請求項３に記載の振動多孔板ユニットによれば、圧電振動子の電気回路への接続時に、ランク表示を目視することにより、圧電振動子に印加する電圧の設定を容易に行うことができる、という優れた効果が得られる。
【００２９】
請求項４に記載の振動多孔板ユニットによれば、電気回路への接続作業が容易である、という優れた効果が得られる。
【００３０】
請求項５に記載の振動多孔板ユニットによれば、ランク識別手段に基づいて電圧設定手段により設定される電圧を、圧電振動子に印加することができる、という優れた効果が得られる。
【００３１】
請求項６に記載の振動多孔板ユニットによれば、圧電振動子の電気回路への接続時に、ランク表示を目視することにより、圧電振動子に印加する電圧の設定を容易に行うことができる、という優れた効果が得られる。
【００３２】
請求項７に記載の振動多孔板ユニットによれば、圧電振動子の電気回路への接続時に、スイッチによって、圧電振動子に印加する電圧を容易に切り替えることができる、という優れた効果が得られる。
【００３３】
請求項８に記載の振動多孔板ユニットによれば、電気回路への接続作業が容易である、という優れた効果が得られる。
【００３４】
請求項９に記載の振動多孔板ユニットによれば、多孔板のランクに応じた電圧設定を意識することなく、圧電振動子の電気回路への接続作業を行うことができる、という優れた効果が得られる。
【００３５】
請求項１０に記載の霧化装置によれば、多孔板のランクにかかわらず霧化量を一定にして、霧化性能のばらつきを抑制することができる、という優れた効果が得られる。
【図面の簡単な説明】
【００３６】
【図１】図１から図４は、第１実施形態に係り、図１は、振動多孔板ユニットを示す模式図である。
【図２】母材板を示す平面図である。
【図３】互いに霧化性能の異なるランクＡ，Ｂ，Ｃ．Ｄの微細孔について、圧電振動子に印加する電圧と、該微細孔を通じた霧化量との関係を示す線図である。
【図４】霧化装置を示す模式図である。
【図５】第２実施形態に係る振動多孔板ユニットを示す模式図である。
【図６】第３実施形態に係る振動多孔板ユニットを示す模式図である。
【図７】第４実施形態に係る振動多孔板ユニットを示す模式図である。
【図８】圧電振動子と多孔板の変形例を示す斜視図である。
【図９】圧電振動子と多孔板の変形例を示す斜視図である。
【発明を実施するための形態】
【００３７】
以下、本発明を実施するための形態を図面に基づき説明する。
【００３８】
［第１実施形態］
図１において、本実施形態に係る振動多孔板ユニット１０は、圧電振動子１２と、多孔板１４と、ランク識別手段の一例たるランク表示１６とを有している。この振動多孔板ユニット１０は、例えば霧化装置２４に用いられる（図４参照）。
【００３９】
圧電振動子１２は、高周波電圧を印加することにより振動する、例えば円環板状に形成されたセラミック製の超音波振動子である。圧電振動子１２には、一対のリード線２１，２２が取り付けられている。リード線２１はホット側の電線であり、圧電振動子１２の厚さ方向の一方の面（上面）に形成された不図示の電極に接続され、端部には端子２５が取り付けられている。この端子２５には、ランク表示１６である例えば「Ｂ」の文字が付されている。
【００４０】
一方、リード線２２はアース側の電線であり、圧電振動子１２の厚さ方向の他方の面（下面）に形成された不図示の電極に接続され、端部には端子２６が取り付けられている。端子２６には、例えば接地側であることを示す「Ｇ」の表示２８が付されている。
【００４１】
多孔板１４は、例えば圧電振動子１２の振動により、液体３２（図４）を霧化する微細孔領域３４を有している。この多孔板１４は例えば円盤状に形成され、圧電振動子１２の厚さ方向の一方の面に、直接的又は間接的に固定されている。微細孔領域３４は、該多孔板１４の中心部に設けられている。この微細孔領域３４は、多孔板１４の厚さ方向の一方側に凸となる例えば緩やかな曲面を有するドーム状に形成されている。なお微細孔領域３４の範囲や形状は、図示のものには限られない。
【００４２】
図２に示されるように、多孔板１４は、母材板３６から切り出される。この母材板３６は、例えば電鋳により製造され、複数の微細孔領域３４が形成されている。なお、図２においては、多孔板１４の切出し位置に対応する微細孔領域３４のみを図示しており、他の微細孔領域の図示を省略している。
【００４３】
微細孔領域３４の各貫通孔の大きさは、霧化装置の用途によっても異なるが、大きいものでは直径が８０μｍ程度であり、また、小さいものでは直径が２μｍ程度であるが、この範囲に限定されるものではない。この貫通孔の大きさにばらつきが生じることにより、母材板３６のどの位置から多孔板１４を切り出すかによって、微細孔領域３４の霧化性能にばらつきが生じる場合がある。そこで、各微細孔領域３４の霧化性能に応じてランクを設定する。霧化性能の評価方法としては、例えば、貫通孔の大きさ、微細孔領域における単位面積あたりの貫通孔の開口面積の総和、通過空気量、通過光量、又は霧化量等を測定することが挙げられる。
【００４４】
具体的には、母材板３６の状態で、該母材板３６の領域を例えばランクＡ〜Ｄによって分類する。ここで、貫通孔の直径の基準寸法が１０μｍであるとき、ばらつきが±２μｍであったとする。このときのランク設定は、例えば次のように行われる。
ランクＡ：  ８μｍを超え、  ９μｍ以下
ランクＢ：  ９μｍを超え、１０μｍ以下
ランクＣ：１０μｍを超え、１１μｍ以下
ランクＤ：１１μｍを超え、１２μｍ以下
【００４５】
図２において、ランクＡの領域から切り出された多孔板１４はランクＡに設定され、ランクＢの領域から切り出された多孔板１４はランクＢに設定される。ランクＣの領域から切り出される多孔板１４、ランクＤの領域から切り出される多孔板１４についても同様であるとする。
【００４６】
図３に示されるように、互いに霧化性能の異なるランクＡ，Ｂ，Ｃ，Ｄの多孔板１４について霧化量を一定にするためには、印加電圧を各々のランクに応じて別々に設定すればよい。具体的には、ランクＡでは、貫通孔の大きさが最も小さいことから、印加する電圧ＶA を最も大きく設定する。逆にランクＤでは、貫通孔の大きさが最も大きいことから、印加する電圧ＶD を最も小さく設定する。
【００４７】
ランク表示１６は、上記微細孔領域３４の霧化性能に応じて設定されるランクを識別可能にするランク識別手段の一例である。図１に示される例では、圧電振動子１２に設けられたリード線２１の端子２５に、ランク表示１６である例えば「Ｂ」の文字が付されている。これにより、多孔板１４がランクＢであることを目視できるようになっている。この「Ｂ」の文字は、圧電振動子１２や多孔板１４自体に付されていてもよい。
【００４８】
なお、ランク表示１６は文字に限られるものではなく、圧電振動子１２、多孔板１４、リード線２１，２２、端子２５，２６の色や模様等、又は振動多孔板ユニット１０の全体の色、模様等であってもよい。また、圧電振動子１２全体をリング状のケースに収容し、多孔板１４の微細孔領域３４とその周辺を前記ケースの中央開口部に臨ませた振動多孔板ユニットにあっては、前記ケースにランク表示を設けてもよく、ケース自体の色をランク表示としてもよい（図示せず）。
【００４９】
図１に示されるように、振動多孔板ユニット１０は、圧電振動子１２に電圧を印加するための電気回路１８を更に有している。この電気回路１８は、ランク識別手段の一例たるランク表示１６に基づいて、圧電振動子１２に印加する電圧を設定する電圧設定手段を有している。この電圧設定手段は、例えば、ランク表示１６に応じて圧電振動子１２に印加する電圧を切り替えるためのスイッチ３８である。このスイッチ３８は、例えばロータリースイッチである。また電気回路１８は、端子２５が接続される端子４５と、端子２６が接続される端子４６を有している。なお逆に、端子４６に端子２５を接続し、端子４５に端子２６を接続することも可能である。
【００５０】
端子４５は電源４４（図４参照）のホット側に接続され、端子４６は該電源のアース側に接続されるようになっている。端子４５には、４種類の抵抗器ＲA ，ＲB ，ＲC ，ＲD が並列に接続されており、スイッチ３８により何れかの抵抗器を選択するように構成されている。抵抗器ＲA は電圧ＶA に対応し、抵抗器ＲBは電圧ＶB に対応し、抵抗器ＲC は電圧ＶC に対応し、そして抵抗器ＲDは電圧ＶD に対応している。
【００５１】
従って、図１に示されるように、ランクＢの多孔板１４を電気回路１８に接続するときには、ランク表示１６である「Ｂ」の文字を目視して、スイッチ３８を「Ｂ」の位置に設定すればよい。
【００５２】
図４において、振動多孔板ユニット１０を有する霧化装置２４は、電源４４と、液体３２を貯留するタンク４２とを有している。図示される例では、ランクＡの多孔板１４が用いられており、スイッチ３８も「Ａ」の位置に設定されている。圧電振動子１２及び多孔板１４は、タンク４２の側部に形成された開口部４２Ａに取り付けられている。
【００５３】
なお、霧化装置２４における圧電振動子１２及び多孔板１４の取付け位置や、該多孔板１４に対する液体３２の供給方法は、図示のものには限られない。例えばフェルト等の液体吸引部材を用いて、液体３２を多孔板１４へ供給してもよい。
【００５４】
なお、スイッチ３８は、４種類の抵抗器ＲA 〜ＲD を含むものであってもよい。また、スイッチ３８は、ロータリースイッチに限られるものではなく、スライドスイッチ、ジャンパスイッチ、ディップスイッチ等、各種スイッチを用いることができる。
【００５５】
（作用）
本実施形態は、上記のように構成されており、以下その作用について説明する。図１において、本実施形態に係る振動多孔板ユニット１０では、微細孔領域３４の霧化性能に応じて設定されるランクを識別可能にするランク識別手段が設けられているので、圧電振動子１２の電気回路１８への接続時に、微細孔領域３４の霧化性能のランクを識別することができる。このため、圧電振動子１２に印加する電圧の設定を、各々の多孔板１４における微細孔領域３４の霧化性能に応じて容易に行うことができる。
【００５６】
具体的には、例えばランクＢの多孔板１４と圧電振動子１２を電気回路１８へ接続する時に、ランク表示１６である「Ｂ」の文字を目視し、スイッチ３８を「Ｂ」の位置に設定することにより、圧電振動子１２に印加する電圧の設定を容易に行うことができる。ランクＡ等の多孔板１４の場合でも同様に、スイッチ３８の切替えを行うことで対応することができる。また、これによって、多孔板１４を切り出す母材板３６を無駄なく使用できるようにして、多孔板１４の歩留まりを向上させることができる。
【００５７】
図４において、振動多孔板ユニット１０を用いた霧化装置２４によれば、多孔板１４のランクに応じた電圧を圧電振動子１２に印加することにより、多孔板１４のランクにかかわらず霧化量を一定にして、霧化性能のばらつきを抑制することができる。
【００５８】
［第２実施形態］
図５において、本実施形態に係る振動多孔板ユニット２０では、電気回路１８が、端子２５が接続される端子群５５と、端子２６が接続される端子４６とを有している。端子群５５は、各々のランクに対応する端子５５Ａ，５５Ｂ，５５Ｃ，５５Ｄから構成されている。これらの端子５５Ａ〜５５Ｄは、各々のランクに対応する４種類の抵抗器ＲA 〜ＲD と共に、電源４４（図４参照）のホット側に並列に接続されている。電気回路１８を収納するケース４８の外面のうち、端子５５Ａの近傍には「Ａ」の文字が表示されている。同様に、端子５５Ｂの近傍には「Ｂ」の文字が、端子５５Ｃの近傍には「Ｃ」の文字が、端子５５Ｄの近傍には「Ｄ」の文字が、そして端子４６の近傍には「Ｇ」の文字が夫々表示されている。
【００５９】
従って、ランクＢの多孔板１４を電気回路１８に接続するときには、ランク表示１６である「Ｂ」の文字を目視して、端子２５を端子５５Ｂに接続し、端子２６を端子４６に接続すればよい。これによって、多孔板１４が抵抗器ＲB の回路に電気的に導通するので、ランクＢに対応した電圧ＶB を印加できるようになる。
【００６０】
他の部分については、第１実施形態と同様であるので、同一の部分には図面に同一の符号を付し、説明を省略する。
【００６１】
［第３実施形態］
図６において、本実施形態に係る振動多孔板ユニット３０では、ランク識別手段が、第１共通コネクタ５１である。第１共通コネクタ５１には、各々のランクに対応する端子６５Ａ，６５Ｂ，６５Ｃ，６５Ｄ（端子群６５）と、リード線２２が接続される端子２６とが、夫々所定位置に取付け可能に構成されている。
【００６２】
第１共通コネクタ５１には、端子６５Ａ〜６５Ｄ，２６がすべて取り付けられている。リード線２１は、多孔板１４のランクＢに対応する端子６５Ｂに接続されている。なお、第１共通コネクタ５１の構成はこれに限られるものではなく、多孔板１４のランクに対応する端子のみを第１共通コネクタ５１に取り付けるようにしてもよい。
【００６３】
また、電圧設定手段は、例えば第１共通コネクタ５１を接続可能に構成され各々のランクに対応するすべての端子５５Ａ〜５５Ｄ（端子群５５）を備えた第２共通コネクタ５２である。電気回路１８は、第３実施形態における電気回路１８と同様であり、端子毎に、ランクに応じた印加電圧が予め設定されている。
【００６４】
他の部分については、第１実施形態及び第２実施形態と同様であるので、同一の部分には図面に同一の符号を付し、説明を省略する。
なお、振動多孔板ユニット３０のランクが目視でも容易に確認できるように、第１共通コネクタ５１等に、さらにランク識別手段として上述したランク表示１６を設けてもよい。
【００６５】
（作用）
本実施形態は、上記のように構成されており、以下その作用について説明する。図６において、本実施形態に係る振動多孔板ユニット３０では、ランク識別手段として第１共通コネクタ５１を用いており、圧電振動子１２が、該第１共通コネクタ５１における、該圧電振動子１２のランク（例えばランクＢ）に対応する端子（例えば６５Ｂ）に接続されているので、使用者が該ランクの存在を特に意識する必要がない。
【００６６】
また、本実施形態では、第１共通コネクタ５１を第２共通コネクタ５２に接続するだけで、多孔板１４のランクに応じた電圧設定が行われる。このため、使用者が多孔板１４のランクに応じた電圧設定を意識することなく、圧電振動子１２の電気回路１８への接続作業を容易に行うことができる。また、これによって、工場での振動多孔板ユニット３０や霧化装置２４（図４）の組立て作業性を高めることができる。さらに、一般ユーザーが多孔板１４を交換する際にも、圧電振動子１２、多孔板１４及び第１共通コネクタ５１を備えた振動多孔板ユニット３０ごと交換するため、新たな振動多孔板ユニット３０の第１共通コネクタ５１を第２共通コネクタ５２に接続するだけで多孔板１４のランクに応じた電圧設定が行われる。このため、一般ユーザーは、多孔板１４のランクに応じた電圧設定を意識することなく、交換作業を容易に行うことができる。
【００６７】
［第４実施形態］
図７において、本実施形態に係る振動多孔板ユニット４０では、第１共通コネクタ５１が圧電振動子１２に立設され、第２共通コネクタ５２が、霧化装置２４における開口部４２Ａの周囲に設けられている。
【００６８】
具体的には、ランクＡの多孔板１４と組み合わされた圧電振動子１２には、端子６５Ａ，２６が設けられている。同様に、ランクＢの多孔板１４と組み合わされた圧電振動子１２には端子６５Ｂ，２６が、ランクＣの多孔板１４と組み合わされた圧電振動子１２には端子６５Ｃ，２６が、そしてランクＤの多孔板１４と組み合わされた圧電振動子１２には端子６５Ｄ，２６が、夫々設けられている。
【００６９】
端子６５Ａ〜６５Ｄ，２６は、圧電振動子１２の周方向において、夫々異なる位置に配列されている。端子２６の形状は、端子６５Ａ〜６５Ｄとは異なっている。また何れのランクでも、端子２６の位置は一定である。
【００７０】
一方、第２共通コネクタ５２における端子５５Ａ〜５５Ｄ，４６は、開口部４２Ａの周囲に、第１共通コネクタ５１と対応するように配列されている。
【００７１】
他の部分については、第３実施形態と同様であるので、同一の部分には図面に同一の符号を付し、説明を省略する。
【００７２】
（作用）
本実施形態は、上記のように構成されており、以下その作用について説明する。図７において、本実施形態に係る振動多孔板ユニット４０では、何れのランクの多孔板１４でも、第１共通コネクタ５１の端子２６を、第２共通コネクタ５２の端子４６の位置に差し込むだけで、多孔板１４のランクに応じた電圧設定が行われる。このため、第３実施形態と同様に、使用者が多孔板１４のランクに応じた電圧設定を意識することなく、圧電振動子１２の電気回路１８への接続作業を容易に行うことができる。
【００７３】
また、多孔板１４と端子６５Ａ〜６５Ｄ，２６の間にリード線が存在しないので、低コストで取扱いが容易である。
【００７４】
［他の実施形態］
上記実施形態では、ランク識別手段として、ランク表示１６及び第１共通コネクタ５１を挙げたが、ランク識別手段はこれらに限られるものではない。このランク識別手段は、第１、第２実施形態では、使用者に識別されることを要するが、第３、第４実施形態では、使用者に識別されることを要しない。従って、第３、第４実施形態は、使用者が意識することなく、正確な接続作業ができる点で、より優れている。
【００７５】
振動多孔板ユニット１０，２０，３０，４０は、電気回路１８を含まないものとすることも可能である。また、上記した振動多孔板ユニット１０，２０，３０，４０は、圧電振動子１２に多孔板１４を直接固着する構成のみならず、圧電振動子１２に連結板（図示せず）を固着し、この連結板に多孔板１４を固着する構成であってもよい。さらに、上記実施形態にあっては、圧電振動子１２が円環板状の振動多孔板ユニット１０，２０，３０，４０を例示したが、本発明に係る振動多孔板ユニットについて、平面視矩形状の多孔板１４を用い、この一辺側に例えば平面視矩形の板状の圧電振動子１２を直接固着し（図８）、又は、連結板７０を介して設けた構成（図９）としてもよい。
【００７６】
図８に示される変形例では、平板状に構成された多孔板１４に微細孔領域３４が形成されている。また、図９に示される変形例では、多孔板１４の一部に、例えば下方に凸となる円弧面部が形成され、該円弧面部に微細孔領域３４が形成されている。微細孔領域３４の下方には、吸液心棒７１を近接配置することができる。この吸液心棒７１は、液体３２（図４参照）を多孔板１４の近くまで導くための、フェルト等の部材である。
【符号の説明】
【００７７】
１０    振動多孔板ユニット
１２    圧電振動子
１４    多孔板
１６    ランク表示（ランク識別手段）
１８    電気回路
２０    振動多孔板ユニット
２４    霧化装置
２６    端子
３０    振動多孔板ユニット
３２    液体
３４    微細孔領域
３８    スイッチ（電圧設定手段）
４０    振動多孔板ユニット
５１    第１共通コネクタ（ランク識別手段）
５２    第２共通コネクタ（電圧設定手段）
５５Ａ  端子
５５Ｂ  端子
５５Ｃ  端子
５５Ｄ  端子
６５Ａ  端子
６５Ｂ  端子
６５Ｃ  端子
６５Ｄ  端子
ＶA     電圧
ＶB     電圧
ＶC     電圧
ＶD     電圧
【図１】
0005905339.tif 000002
【図２】
0005905339.tif 000003
【図３】
0005905339.tif 000004
【図４】
0005905339.tif 000005
【図５】
0005905339.tif 000006
【図６】
0005905339.tif 000007
【図７】
0005905339.tif 000008
【図８】
0005905339.tif 000009
【図９】
0005905339.tif 000010